(57)【特許請求の範囲】
【請求項１】
通行者が携帯する改札情報が磁気的に記録されている磁気式記録媒体を投入する投入部と、
この投入部に投入された磁気式記録媒体を受入れ、この受入れた磁気式記録媒体から前記改札情報を読取る読取手段と、
前記投入部の近傍に設けられ、通行者が携帯する改札情報を無線によって送受信する無線式記録媒体との間で無線通信を行なうためのもので、その通信エリアが前記投入部まで含めた範囲に設定されているアンテナと、
このアンテナの通信エリア内に提示された前記無線式記録媒体との間で前記アンテナを介して無線通信によって改札情報の送受信を行なう送受信手段と、
この送受信手段によって前記改札情報の送受信を行なうとき、前記投入部への前記無線式記録媒体の投入を禁止する投入禁止手段と、
前記読取手段で読取った改札情報あるいは前記送受信手段で受信した改札情報に基づき改札処理を行なうことにより、前記通行者の通行可否を決定する通行可否決定手段と、
を具備したことを特徴とする自動改札装置。
【請求項２】
通行者が携帯する改札情報が磁気的に記録されている磁気式記録媒体を投入する投入部と、
この投入部に投入された磁気式記録媒体を受入れ、この受入れた磁気式記録媒体から前記改札情報を読取る読取手段と、
前記投入部の近傍に設けられ、通行者が携帯する改札情報を無線によって送受信する無線式記録媒体との間で無線通信を行なうためのもので、その通信エリアが前記投入部まで含めた範囲に設定されているアンテナと、
このアンテナの通信エリア内に提示された前記無線式記録媒体との間で前記アンテナを介して無線通信によって改札情報の送受信を行なう送受信手段と、
前記読取手段で読取った改札情報あるいは前記送受信手段で受信した改札情報に基づき改札処理を行なうことにより、前記通行者の通行可否を決定する通行可否決定手段と、
前記無線式記録媒体が前記アンテナの通信エリア内に進入すると、前記アンテナを介してそれを検出する検出手段と、
この検出手段が前記無線式記録媒体を検出すると、前記投入部への無線式記録媒体の投入を禁止せしめる投入禁止手段と、
を具備したことを特徴とする自動改札装置。
【請求項３】
通行者が通行する通路を形成する装置本体と、
この装置本体の前記通路の入口側に設けられ、前記通路に進入する通行者が携帯する改札情報が磁気的に記録されている磁気式記録媒体を投入する投入口と、
この投入口に投入された磁気式記録媒体を受入れ、この受入れた磁気式記録媒体から前記改札情報を読取る読取手段と、
前記装置本体の前記通路の出口側で開閉動作可能に設けられ、通行者の通行を制御するドアと、
前記装置本体の上部で、前記投入口の近傍に設けられ、前記通路に進入する通行者が携帯する改札情報を無線によって送受信する無線式記録媒体との間で電波による無線通信を行なうためのもので、その通信エリアが前記投入口まで含めた範囲に設定されたアンテナと、
このアンテナから所定の電波を出力し、前記通信エリア内に前記無線式記録媒体が提示されたときに、前記無線式記録媒体の存在を検出する検出手段と、
前記投入口に設けられ、前記検出手段による前記無線式記録媒体の存在の検出に応じて前記投入口への無線式記録媒体の投入を禁止せしめるシャッタと、
前記検出手段が前記無線式記録媒体の存在を検出したとき、前記無線式記録媒体との間で前記アンテナを介して無線通信によって改札情報の送受信を行なう送受信手段と、
前記読取手段で読取った改札情報あるいは前記送受信手段で受信した改札情報に基づき前記磁気式記録媒体あるいは前記無線式記録媒体の正否を判定する判定手段と、
この判定手段の判定結果に応じて前記ドアを開閉制御する制御手段と、
を具備したことを特徴とする自動改札装置。
【発明の詳細な説明】
【０００１】
【産業上の利用分野】
本発明は、たとえば、電車やバスなどの交通機関の駅に設置され、通行者の所持する磁気式乗車券（磁気式記録媒体）および無線式乗車券（無線式記録媒体）の両方を併用処理できる自動改札装置に関する。
【０００２】
【従来の技術】
近年、たとえば、鉄道関係において、改札業務の省力化を目的として、鉄道などの施設の入場口あるいは出場口などに設けられ、施設を利用する利用者（通行者）が施設に入場あるいは出場する際、または、施設の乗換えを行なう際、利用者が携帯する磁気式乗車券（乗車券や定期券）を取込んで検査し、磁気式乗車券が正当であれば利用者の通過を許可し、不当であれば利用者の通過を阻止する自動改札装置が導入されている。
【０００３】
この種の自動改札装置は、入場、出場、あるいは乗換えの際に、利用者によって投入口に投入された磁気式乗車券の片面（裏面）に形成された磁気記録部に記録されている磁気情報（たとえば、入場駅および有効な料金などの改札情報）を読取り、この読取った情報に基づいて利用者の通過の許可あるいは阻止を決定し、その磁気式乗車券に所定の処理、たとえば、券面に対する印刷処理や、磁気記録部に対する磁気記録処理などを施した後、その磁気式乗車券を取出口に排出するものである。
【０００４】
また、最近、改札情報を無線によって送受信する機能を有する無線カード（無線式乗車券）を用いることにより、自動改札装置に乗車券を投入することなく、自動改札装置に設けられたアンテナ部分に無線カードをかざすだけで、改札情報の読み書き（送受信）を行ない、改札処理を行なうことを可能とした無線式の自動改札装置の開発が進んでいる。
【０００５】
【発明が解決しようとする課題】
ところで、このような無線カード対応の自動改札装置は、まだ一般的に周知されておらず、利用する通行者は、これまでの習慣から、無線カードを磁気式乗車券の投入口へ誤投入してしまい、その結果、無線カードを磁気式乗車券と同様に内部に取込み、搬送し、無線カードを破壊してしまうという問題があった。
【０００６】
そこで、本発明は、無線式記録媒体を使用する通行者が、誤って磁気式記録媒体の投入部へ無線式記録媒体を投入してしまい、無線式記録媒体を破壊してしまうことを防止できる自動改札装置を提供することを目的とする。
【０００７】
【課題を解決するための手段】
第１の発明に係る自動改札装置は、通行者が携帯する改札情報が磁気的に記録されている磁気式記録媒体を投入する投入部と、この投入部に投入された磁気式記録媒体を受入れ、この受入れた磁気式記録媒体から前記改札情報を読取る読取手段と、前記投入部の近傍に設けられ、通行者が携帯する改札情報を無線によって送受信する無線式記録媒体との間で無線通信を行なうためのもので、その通信エリアが前記投入部まで含めた範囲に設定されているアンテナと、このアンテナの通信エリア内に提示された前記無線式記録媒体との間で前記アンテナを介して無線通信によって改札情報の送受信を行なう送受信手段と、この送受信手段によって前記改札情報の送受信を行なうとき、前記投入部への前記無線式記録媒体の投入を禁止する投入禁止手段と、前記読取手段で読取った改札情報あるいは前記送受信手段で受信した改札情報に基づき改札処理を行なうことにより、前記通行者の通行可否を決定する通行可否決定手段とを具備している。
【０００８】
第２の発明に係る自動改札装置は、通行者が携帯する改札情報が磁気的に記録されている磁気式記録媒体を投入する投入部と、この投入部に投入された磁気式記録媒体を受入れ、この受入れた磁気式記録媒体から前記改札情報を読取る読取手段と、前記投入部の近傍に設けられ、通行者が携帯する改札情報を無線によって送受信する無線式記録媒体との間で無線通信を行なうためのもので、その通信エリアが前記投入部まで含めた範囲に設定されているアンテナと、このアンテナの通信エリア内に提示された前記無線式記録媒体との間で前記アンテナを介して無線通信によって改札情報の送受信を行なう送受信手段と、前記読取手段で読取った改札情報あるいは前記送受信手段で受信した改札情報に基づき改札処理を行なうことにより、前記通行者の通行可否を決定する通行可否決定手段と、前記無線式記録媒体が前記アンテナの通信エリア内に進入すると、前記アンテナを介してそれを検出する検出手段と、この検出手段が前記無線式記録媒体を検出すると、前記投入部への無線式記録媒体の投入を禁止せしめる投入禁止手段とを具備している。
【０００９】
第３の発明に係る自動改札装置は、通行者が通行する通路を形成する装置本体と、この装置本体の前記通路の入口側に設けられ、前記通路に進入する通行者が携帯する改札情報が磁気的に記録されている磁気式記録媒体を投入する投入口と、この投入口に投入された磁気式記録媒体を受入れ、この受入れた磁気式記録媒体から前記改札情報を読取る読取手段と、前記装置本体の前記通路の出口側で開閉動作可能に設けられ、通行者の通行を制御するドアと、前記装置本体の上部で、前記投入口の近傍に設けられ、前記通路に進入する通行者が携帯する改札情報を無線によって送受信する無線式記録媒体との間で電波による無線通信を行なうためのもので、その通信エリアが前記投入口まで含めた範囲に設定されたアンテナと、このアンテナから所定の電波を出力し、前記通信エリア内に前記無線式記録媒体が提示されたときに、前記無線式記録媒体の存在を検出する検出手段と、前記投入口に設けられ、前記検出手段による前記無線式記録媒体の存在の検出に応じて前記投入口への無線式記録媒体の投入を禁止せしめるシャッタと、前記検出手段が前記無線式記録媒体の存在を検出したとき、前記無線式記録媒体との間で前記アンテナを介して無線通信によって改札情報の送受信を行なう送受信手段と、前記読取手段で読取った改札情報あるいは前記送受信手段で受信した改札情報に基づき前記磁気式記録媒体あるいは前記無線式記録媒体の正否を判定する判定手段と、この判定手段の判定結果に応じて前記ドアを開閉制御する制御手段とを具備している。
【００１３】
【作用】
第１の発明によれば、無線式記録媒体との間で無線通信を行なうためのアンテナの通信エリアを磁気式記録媒体の投入部まで含めた範囲に設定することにより、無線式記録媒体を磁気式記録媒体の投入部に投入する以前に無線式記録媒体との間で通信を開始できるので、たとえば、通信を開始した時点で磁気式記録媒体の投入部に無線式記録媒体を投入するのを禁止せしめることにより、磁気式記録媒体の投入部に無線式記録媒体を誤投入するのを未然に防止できる。また、磁気式記録媒体の投入部の近傍に無線式記録媒体が提示されても、無線式記録媒体との間で通信を行なうことができる。
【００１４】
第２および第３の発明によれば、無線式記録媒体との間で無線通信を行なうためのアンテナの通信エリアを磁気式記録媒体の投入部まで含めた範囲に設定し、この通信エリア内に磁気式記録媒体の投入部に誤投入しようとした無線式記録媒体が進入すると、それを検出して上記投入部への無線式記録媒体の投入を禁止せしめることにより、磁気式記録媒体を使用する通行者の磁気式記録媒体の投入操作に影響を与えることなく、無線式記録媒体を使用する通行者が磁気式記録媒体の投入部に無線式記録媒体を誤投入するのを未然に防止でき、無線式記録媒体が内部に搬送されて破壊されるのを防止することができる。
【００１７】
【実施例】
以下、本発明の一実施例について図面を参照して説明する。
図１、図２は、本実施例に係る磁気式記録媒体としての磁気式乗車券および無線式記録媒体としての無線カード（無線式乗車券）の両方を併用処理できる自動改札装置の外観構成を概略的に示すものである。自動改札装置１は、通常、２台１組として駅の改札口などに設置され、両者の間に通行者が通行する通路が形成される。
【００１８】
自動改札装置本体２の上面の一端部には、たとえば、有効期間や利用区間などの改札情報が磁気エンコード記録された磁気式乗車券（定期券や普通乗車券など）が投入される投入部としての投入口３が設けられ、他端部には、投入口３から受入れた磁気式乗車券を排出する取出口４が設けられている。なお、投入口３には、図３に示すように、そこを必要に応じて開閉するシャッタ１５が設けられている。
【００１９】
本体２上の投入口３の前方には、通行者が携帯し、たとえば、有効期間や利用区間などの改札情報を無線通信によって送受信する機能を備えた無線カードとの間で改札情報などを送受信するためのアンテナ５が設けられている。ここに、アンテナ５の通信エリア５ａは、図１に斜線で示すように、磁気式乗車券の投入口３まで含めた範囲に設定されていて、この通信エリア５ａ内に投入口３に誤投入しようとした無線カードが進入すると、それを検出するようになっている。
【００２０】
本体２上の取出口４の前方には、通行者や駅員などに対して案内を行なうための案内表示部６が設けられている。
また、本体２の通路側の側面の両端部には、それぞれ通行者の通行を制御する開閉動作可能なドア７，７が設けられており、通行可否の判定結果に基づき、このドア７，７が開閉制御されるようになっている。
【００２１】
本体２の上部には、通行者の通路を定義するための枠状のポール部（枠体）８が立設されている。そして、ポール部８および本体２の各通路側の側面には、通行者検知手段としての複数の光学的なセンサ、たとえば、出口検知器９，１０、進入検知器１１，１２、および、中央通過検知器１３がそれぞれ設けられている。出口検知器９は、投入口３の部分を通過する通行者を検知し、出口検知器１０は、案内表示部６の部分を通過する通行者を検知し、進入検知器１１は、アンテナ５の部分を通過する通行者を検知し、進入検知器１２は、取出口４の部分を通過する通行者を検知し、中央通過検知器１３は、通路の中央部を通過する通行者を検知するものである。
【００２２】
また、ポール部８上には、本装置の動作状態（小児券の投入、無効券の投入や機器の異常など）を表示する状態表示部１４が設けられている。
図４は、本体２の内部構成を概略的に示すものである。すなわち、投入口３と取出口４との間には、投入口３から投入された磁気式乗車券Ｐを取出口４へ搬送するための搬送路２１が形成されている。搬送路２１上には、複数の検知器２２，２３，２４，２５が設けられており、これらによって搬送路２１上を搬送される磁気式乗車券Ｐの通過が検知されるようになっている。各検知器２２〜２５は、たとえば、光源と受光素子とからなる光学的なセンサであり、磁気式乗車券Ｐが光源と受光素子との間を通過したときの遮光により磁気式乗車券Ｐを検知するようになっている。
【００２３】
搬送路２１上には、投入口３から取出口４までの間に、磁気式乗車券Ｐの磁気記録部に記録されている磁気情報を読取る読取手段としての読取ヘッド（磁気ヘッド）２６，２７、磁気式乗車券Ｐの磁気記録部に対して磁気情報を書込む書込手段としての書込ヘッド（磁気ヘッド）２８，２９、磁気式乗車券Ｐに記録した磁気情報を読取る読取手段としての読取ヘッド（磁気ヘッド）３０，３１が設けられている。
【００２４】
各読取・書込ヘッド２６〜３１には、搬送路２１として所定の間隔をあけ、かつ、それぞれの間隔を保持するように、それぞれ回転ローラ３２〜３７が設けられている。
【００２５】
なお、各読取・書込ヘッド２６〜３１は、磁気式乗車券Ｐが表裏どちらかの状態で投入されたときにも、裏面の磁気記録部に対して磁気情報の読取り、および、書込みが可能なように、搬送路２１の上下にそれぞれ１対ずつ設けられている。
【００２６】
搬送路２１上には、磁気式乗車券Ｐを振り分ける振分ゲート３８，３９が設けられている。振分ゲート３８は、普通乗車券とそれ以外のもので後処理が異なるため、磁気式乗車券Ｐをその幅に応じて、たとえば、ストアードフェアカード（以下、ＳＦカードと略称する）などはＳＦ処理部４０側に、普通乗車券はサーマルプリンタ４１、および、入鋏パンチ４２側にそれぞれ振り分けるためのものである。振分ゲート３９は、投入された磁気式乗車券Ｐが排出すべきものであった場合に、その乗車券Ｐを取出口４の方向に振り分け、また、投入された磁気式乗車券Ｐが集札すべきものであった場合に、その乗車券Ｐを集札部４３の方向へ振り分けるものである。
【００２７】
図５は、上記のように構成された自動改札装置の制御系統の構成を示すものである。すなわち、この制御系統は、自動改札装置全体の制御を司るＣＰＵ（セントラル・プロセッシング・ユニット）５１、ＣＰＵ５１の制御プログラムなどを記憶しているＲＯＭ（リード・オンリ・メモリ）５２、磁気式乗車券Ｐあるいは無線カードから読取った情報の記憶、および、制御プログラムのバッファとして情報を記憶する記憶手段としてのＲＡＭ（ランダム・アクセス・メモリ）５３、磁気式乗車券Ｐあるいは無線カードの使用が開始された入場駅（あるいは、入場駅に対応した入場駅コード）に対応した運賃情報を記憶している運賃メモリ５４、前記読取ヘッド２６，２７，３０，３１を制御する読取回路５５、前記書込ヘッド２８，２９をそれぞれ制御する書込回路５６、前記振分ゲート３８，３９をそれぞれ駆動制御するゲート制御回路５７、前記サーマルプリンタ４１を制御する印刷制御回路５８、前記入鋏パンチ部４２を制御するパンチ制御回路５９、前記シャッタ１５を駆動制御するシャッタ制御回路６０、前記表示部６，１４をそれぞれ制御する表示制御回路６１、前記検知器９〜１３の各検知出力に基づき通行者の通過状況などを検知する人間検知器制御回路６２、前記検知器２２〜２５の各検知出力に基づき磁気式乗車券Ｐの搬送状況などを検知する乗車券検知回路６３、前記ＳＦ処理部４０を制御するＳＦ処理制御回路６４、前記搬送路２１などの搬送系を駆動する搬送用モータ６５を駆動制御する搬送制御回路６６、前記ドア７を駆動するドア開閉機構６７を制御するドア制御回路６８、無線カードとの間で前記アンテナ５を介して改札情報の送受信を行なう送受信回路６９、および、本装置を制御する図示しないホスト装置としてのホストコンピュータとの間で情報の伝送を行なう伝送制御回路７０などから構成されている。
【００２８】
図６は、前記無線カードの構成を概略的に示すものである。すなわち、無線カードＣは、全体的な制御を司るＣＰＵ８１、ＣＰＵ８１の制御プログラムおよび改札情報などを記憶したデータメモリ８２、送受信切換部８３、自動改札装置１からの各種情報を受信する受信部８４、受信部８４からの受信信号を復調する復調部８５、送信情報を変調する変調部８６、変調部８６によって変調された信号を電波に変換して自動改札装置１に向けて送信する送信部８７、および、各部に必要な電力を供給するバッテリ８８などを具備している。
【００２９】
データメモリ８２に記憶する改札情報は、たとえば、定期券として用いる場合、所有者を特定するＩＤコード、発券番号、利用区間、有効期間、男女の性別、子供，大人の区別、前回の利用時間などとなっている。
【００３０】
なお、無線カードＣの上述した各要素は、１つあるいは複数のＩＣチップで構成され、１つの基板上に配置されて全体形状をカード状としている。
次に、上記のような構成において、図７に示すフローチャートを参照して動作を説明する。
【００３１】
本装置の電源が投入されると、まず、ＣＰＵ５１は、シャッタ制御回路６０にシャッタ開命令を送ることにより、投入口３のシャッタ１５を開き（Ｓ１）、磁気式乗車券Ｐの投入を待機するとともに、送受信回路６９に電波出力命令を送ることにより、アンテナ５から通信用電波を出力し（Ｓ２）、無線カードＣの提示を待機する。
【００３２】
この状態において、投入口３に磁気式乗車券Ｐが投入されると（Ｓ３）、その磁気式乗車券Ｐに対する正否判定処理が行なわれる。すなわち、投入された磁気式乗車券Ｐは、搬送路２１によって取出口４へと搬送されるが、その搬送途中において、読取ヘッド２６（または２７）によって、磁気式乗車券Ｐに磁気記録されている改札情報が読取られ（Ｓ４）、読取回路５５を介してＣＰＵ５１に送られる。このとき、ＣＰＵ５１は、シャッタ制御回路６０にシャッタ閉命令を送ることにより、投入口３のシャッタ１５を閉じて、磁気式乗車券Ｐの投入を禁止する。
【００３３】
ＣＰＵ５１は、上記読取情報から、その磁気式乗車券Ｐの有効性を判定し、その判定の結果、有効であれば（Ｓ５）、書込回路５６を介して書込ヘッド２８（または２９）を制御することにより、磁気式乗車券Ｐに対して入場日時および入場駅などの入場情報を書き込む（Ｓ６）。こうして処理された磁気式乗車券Ｐは、取出口４へ排出され、取出口４から磁気式乗車券Ｐが抜き取られるのを待機する。
【００３４】
また、磁気式乗車券Ｐが有効であると判定されると、ＣＰＵ５１は、ドア制御回路６８にドア開命令を送ることにより、進行方向側（出口側）のドア７を開き（Ｓ７）、通行者の通行を許可するとともに、シャッタ制御回路６０にシャッタ開命令を送ることにより、投入口３のシャッタ１５を開き（Ｓ８）、ステップ  Ｓ３に戻って磁気式乗車券Ｐの投入、あるいは、無線カードＣの提示を待機する。
【００３５】
ステップＳ５の判定処理において、磁気式乗車券Ｐが有効でないと判定された場合、ＣＰＵ５１は、ドア制御回路６８にドア閉命令を送ることにより、進行方向側のドア７を閉じて通行者の通行を阻止し（Ｓ９）、表示制御回路６１を介して案内表示部６にドア閉となった理由などを表示する（Ｓ１０）。
【００３６】
ここで、ＣＰＵ５１は、検知器９〜１３の各状態をチェックすることにより、通行を阻止された通行者が通路を戻って入口側から外へでたか否かをチェックし（Ｓ１１）、外へでていれば、投入口３のシャッタ１５を開き（Ｓ８）、ステップＳ３に戻って磁気式乗車券Ｐの投入、あるいは、無線カードＣの提示を待機する。
【００３７】
一方、ステップＳ３において、磁気式乗車券Ｐが投入されない場合、無線カードＣが検出されたか否かをチェックする（Ｓ１２）。すなわち、アンテナ５からは常時、通信用電波が出力されており、その通信エリア５ａは図１に斜線で示すように、投入口３まで含めた範囲に設定されている。
【００３８】
この状態で、たとえば、通行者が誤って無線カードＣを投入口３に投入しようとすると、その誤投入しようとした無線カードＣが投入口３近傍の通信エリア  ５ａ内に提示されるので、送受信回路６９は、その時点で無線カードＣとの間で通信を開始することができる。したがって、ＣＰＵ５１は、この通信を開始した時点を無線カードＣの検出と判断する。
【００３９】
ステップＳ１２において、無線カードＣが検出されなかった場合、ステップ  Ｓ３に戻り、磁気式乗車券Ｐの投入、あるいは、無線カードＣの提示を待機する。ステップＳ１２において、無線カードＣが検出された場合、投入口３のシャッタ１５を閉じて（Ｓ１３）、無線カードＣの投入を禁止する。したがって、無線カードＣの通行者が磁気式乗車券Ｐの投入口３に誤投入することを未然に防止できる。
【００４０】
次に、ＣＰＵ５１は、通信エリア５ａ内に提示された無線カードＣに対する正否判定処理を行なう。すなわち、送受信回路６９は、アンテナ１５を介して無線カードＣとの間で通信を行なうことにより、無線カードＣのデータメモリ８２に記憶されている改札情報を読取り（Ｓ１４）、ＣＰＵ５１に送る。
【００４１】
ＣＰＵ５１は、上記読取情報から、その無線カードＣの有効性を判定し、その判定の結果、有効であれば（Ｓ１５）、無線カードＣのデータメモリ８２に対して入場日時および入場駅などの入場情報を書込むために、送受信回路６９からアンテナ１５を介して無線カードＣに対して上記入場情報を送信する（Ｓ１６）。
【００４２】
また、無線カードＣが有効であると判定されると、ＣＰＵ５１は、進行方向側（出口側）のドア７を開き（Ｓ７）、通行者の通行を許可するとともに、投入口３のシャッタ１５を開き（Ｓ８）、ステップＳ３に戻って磁気式乗車券Ｐの投入、あるいは、無線カードＣの提示を待機する。
【００４３】
ステップＳ１５の判定処理において、無線カードＣが有効でないと判定された場合、ＣＰＵ５１は、進行方向側のドア７を閉じて通行者の通行を阻止し（Ｓ９）、案内表示部６にドア閉となった理由などを表示する（Ｓ１０）。そして、通行を阻止された通行者が通路を戻って入口側から外へでたか否かをチェックし（Ｓ１１）、外へでていれば、投入口３のシャッタ１５を開き（Ｓ８）、ステップＳ３に戻って磁気式乗車券Ｐの投入、あるいは、無線カードＣの提示を待機する。
【００４４】
以上説明したように、上記実施例によれば、無線カードＣとの間で無線通信を行なうためのアンテナ５の通信エリア５ａを磁気式乗車券Ｐの投入口３まで含めた範囲に設定し、この通信エリア５ａ内に投入口３に誤投入しようとした無線カードＣが進入すると、それを検出して投入口３のシャッタ１５を閉じて、投入口３への無線カードＣの投入を禁止せしめることにより、磁気式乗車券Ｐを使用する通行者の磁気式乗車券Ｐの投入操作に影響を与えることなく、無線カードＣを使用する通行者が磁気式乗車券Ｐの投入口３に無線カードＣを誤投入するのを未然に防止でき、無線カードＣが内部に搬送されて破壊されるのを防止することができる。
【００４５】
なお、前記実施例では、無線カードＣとの間で無線通信を行なうためのアンテナ５の通信エリア５ａを磁気式乗車券Ｐの投入口３まで含めた範囲に設定する場合について説明したが、本発明はこれに限定されるものでなく、たとえば、図８に示すように、アンテナ５を、無線カードＣとの間で無線通信を行なうための第１のアンテナ５1 と、無線カードＣを検出するだけのための専用の第２のアンテナ５2 とに分割する。そして、第２のアンテナ５2 は、投入口３の近傍に設置して、その電波出力エリア５ｂを投入口３の部分に設定することにより、前記実施例と同様、磁気式乗車券Ｐの投入口３に誤投入しようとした無線カードＣを検出することができる。
【００４６】
この実施例の場合の制御系統の構成は、図９に示すようになる。すなわち、図５と異なる点のみについて説明すると、第１のアンテナ５1 は送受信回路６９に接続され、第２のアンテナ５2 は無線カード検出回路７１に接続され、この無線カード検出回路７１はＣＰＵ５１に接続される。無線カード検出回路７１は、第２のアンテナ５2 から常時、無線カード検出用の電波を出力させておき、投入口３に誤投入しようとした無線カードＣがその電波出力エリア５ｂ内に提示されると、それを検出するようになっている。
【００４７】
【発明の効果】
以上詳述したように本発明によれば、無線式記録媒体を使用する通行者が、誤って磁気式記録媒体の投入部へ無線式記録媒体を投入してしまい、無線式記録媒体を破壊してしまうことを防止できる自動改札装置を提供できる。
【図面の簡単な説明】
【図１】本発明の一実施例に係る自動改札装置の外観を概略的に示すもので、（ａ）図は上から見た平面図、（ｂ）図は内側から見た側面図。
【図２】自動改札装置の外観を概略的に示す斜視図。
【図３】投入口の部分を詳細に示すもので、（ａ）図はシャッタを開いた状態を示し、（ｂ）図はシャッタを閉じた状態を示す。
【図４】自動改札装置の内部構成を概略的に示す構成図。
【図５】制御系統の構成を概略的に示すブロック図。
【図６】無線カードの構成を概略的に示すブロック図。
【図７】動作を説明するためのフローチャート。
【図８】本発明の他の実施例に係る自動改札装置の外観を概略的に示すもので、（ａ）図は上から見た平面図、（ｂ）図は内側から見た側面図。
【図９】同じく他の実施例における制御系統の構成を概略的に示すブロック図。
【符号の説明】
１……自動改札装置、２……自動改札装置本体、３……投入口（投入部）、４……取出口、５……アンテナ、５1 ……第１のアンテナ、５2 ……第２のアンテナ、５ａ……通信エリア、５ｂ……電波出力エリア、７……ドア、９〜１３……検知器、１５……シャッタ、２１……搬送路、２６，２７……読取ヘッド、２８，２９……書込ヘッド、５１……ＣＰＵ、５２……ＲＯＭ、５３……ＲＡＭ、５５……読取回路、５６……書込回路、６０……シャッタ制御回路、６２……人間検知器制御回路、６５……搬送用モータ、６６……搬送制御回路、６７……ドア開閉機構、６８……ドア制御回路、６９……送受信回路、７１……無線カード検出回路、Ｐ……磁気式乗車券（磁気式記録媒体）、Ｃ……無線カード（無線式記録媒体）。
【図１】
0003637103.tif 000002
【図２】
0003637103.tif 000003
【図３】
0003637103.tif 000004
【図４】
0003637103.tif 000005
【図５】
0003637103.tif 000006
【図６】
0003637103.tif 000007
【図７】
0003637103.tif 000008
【図８】
0003637103.tif 000009
【図９】
0003637103.tif 000010